【手続補正書】
【提出日】令和1年7月25日(2019.7.25)
【手続補正１】
【補正対象書類名】特許請求の範囲
【補正対象項目名】全文
【補正方法】変更
【補正の内容】
【特許請求の範囲】
【請求項１】
利用者を受け入れる空間を形成する壁部と、
料金の支払いを受け付けるための支払い受付手段と、
前記空間内の利用者を検出するための検出手段と、
ブース内での通話の妨げとなる妨害音を出力する音出力手段と、
ある額を一単位として一単位分の料金と一定長さの時間とが対応づけられて登録されると共に、前記支払い受付手段および検出手段の動作状態を認識しながら前記音出力手段の動作を制御する機能を備える制御部とを備える携帯電話用のブースであって、
前記制御部は、
前記検出手段が前記空間に利用者が入ったと検出した後に初めて前記支払い受付手段が一単位以上の料金の支払いを受け付けたことに応じて、前記空間に利用者が入ったことが検出されてから支払い額の単位数に応じて変動する所定長さの時間が経過するまでを利用可能期間として設定し、設定された利用可能期間中または当該期間の満了後に前記支払い受付手段が一単位以上の料金の支払いを再度受け付けたとき、その支払い額の単位数に対応する長さだけ前記利用可能期間を延長する利用管理手段と、
前記検出手段が前記空間に利用者が入ったと検出した後に一単位分の料金に対応する時間より短い第１の許容時間が経過しても前記支払い受付手段が一単位以上の料金の支払いを受け付けなかったという第１条件、または前記利用可能期間が満了した後に一単位分の料金に対応する時間より短い第２の許容時間が経過しても前記検出手段が利用者の退出を検出しなかったという第２条件が成立したことに応じて前記音出力手段による前記妨害音の出力を開始し、妨害音の出力開始からの経過時間にその出力に関して成立した条件に係る許容時間を加えた時間が前記一単位分の料金に対応する時間を超えないうちに前記支払い受付手段が一単位以上の料金を受け付けるか前記検出手段が利用者の退出を検出したことをもって、前記妨害音の出力を停止する音出力制御手段とを、
具備する携帯電話用のブース。
【請求項２】
利用者を受け入れる空間を形成する壁部と、
料金の支払いを受け付けるための支払い受付手段と、
前記空間内の利用者を検出するための検出手段と、
ブース内での通話の妨げとなる妨害音を出力する音出力手段と、
ある額を一単位として当該一単位分の料金と一定長さの時間とが対応づけられて登録されると共に、前記支払い受付手段および検出手段の動作状態を認識しながら前記音出力手段の動作を制御する機能を備える制御部とを備える携帯電話用のブースであって、
前記制御部は、
前記検出手段が前記空間に利用者が入ったと検出したことに応じて、あらかじめ定められた一定長さの時間を利用可能期間の初期値として設定して当該利用可能期間を開始し、その後の利用可能期間中または当該期間の満了後に前記支払い受付手段が一単位以上の料金の支払いを受け付けたことに応じて、その支払い額の単位数に対応する長さだけ前記利用可能期間を延長する利用管理手段と、
前記支払い受付手段が一単位以上の料金の支払いを受け付けたという第１条件および前記検出手段が利用者の退出を検出したという第２条件のいずれも成立しないまま前記利用可能期間と前記一単位分の料金に対応する時間より短い許容時間とが経過したことに応じて前記音出力手段による前記妨害音の出力を開始し、妨害音の出力開始からの経過時間に前記許容時間を加えた時間が前記一単位分の料金に対応する時間を超えないうちに前記第１条件または第２条件が成立したことをもって、前記妨害音の出力を停止する音出力制御手段とを、
具備する携帯電話用のブース。
【請求項３】
利用者を受け入れる空間を形成する壁部と、
料金の支払いを受け付けるための支払い受付手段と、
前記空間内の利用者を検出するための検出手段と、
ブース内での通話の妨げとなる妨害音を出力する音出力手段と、
ある額を一単位として当該一単位分の料金と一定長さの時間とが対応づけられて登録されると共に、前記支払い受付手段および検出手段の動作状態を認識しながら前記音出力手段の動作を制御する機能を備える制御部とを備える携帯電話用のブースであって、
前記制御部は、
前記検出手段が前記空間に利用者が入ったと検出した後に初めて前記支払い受付手段があらかじめ定められた額の料金の支払いを受け付けたことに応じて、前記空間に利用者が入ったことが検出されてから一単位分の料金に対応する時間より長い所定長さの時間が経過するまでを利用可能期間として設定し、設定された利用可能期間中または当該期間の満了後に前記支払い受付手段が一単位以上の料金の支払いを再度受け付けたとき、その支払い額の単位数に対応する長さだけ前記利用可能期間を延長する利用管理手段と、
前記検出手段が前記空間に利用者が入ったと検出した後に一単位分の料金に対応する時間より短い第１の許容時間が経過しても前記支払い受付手段が初めての支払いで受け付けるべき額の料金の支払いを受け付けなかったという第１条件、または前記利用可能期間が満了した後に一単位分の料金に対応する時間より短い第２の許容時間が経過しても前記検出手段が利用者の退出を検出しなかったという第２条件が成立したことに応じて前記音出力手段による前記妨害音の出力を開始し、前記第１条件の成立に応じて前記妨害音が出力されたときは、その出力開始からの経過時間に前記第１の許容時間を加えた時間が前記一単位分の料金に対応する時間を超えないうちに前記支払い受付手段が前記初めての支払いで受け付けるべき額の料金の支払いを受け付けるか前記検出手段が利用者の退出を検出したことをもって、前記妨害音の出力を停止する一方、前記第２条件の成立に応じて前記妨害音が出力されたときは、その出力開始からの経過時間に前記第２の許容時間を加えた時間が前記一単位分の料金に対応する時間を超えないうちに前記支払い受付手段が一単位以上の料金を受け付けるか前記検出手段が利用者の退出を検出したことをもって、前記妨害音の出力を停止する音出力制御手段とを、
具備する携帯電話用のブース。
【請求項４】
利用者を受け入れる空間を形成する壁部と、
料金の支払いを受け付けるための支払い受付手段と、
前記空間内の利用者を検出するための検出手段と、
ブース内での通話の妨げとなる妨害音を出力する音出力手段と、
ある額を一単位として一単位分の料金と一定長さの時間とが対応づけられて登録されると共に、前記支払い受付手段および検出手段の動作状態を認識しながら前記音出力手段の動作を制御する機能を備える制御部とを備える携帯電話用のブースであって、
前記制御部は、
前記検出手段が前記空間に利用者が入ったと検出した後に初めて前記支払い受付手段が一単位分の料金の支払いを受け付けたことに応じて、前記空間に利用者が入ったことが検出されてから一単位分の料金に対応する時間または当該時間より長い一定長さの時間が経過するまでを利用可能期間として設定し、設定された利用可能期間中または当該期間の満了後に前記支払い受付手段が一単位分の料金の支払いを再度受け付けたことに応じて一単位分の料金に対応する長さだけ前記利用可能期間を延長する利用管理手段と、
前記検出手段が前記空間に利用者が入ったと検出した後に一単位分の料金に対応する時間より短い第１の許容時間が経過しても前記支払い受付手段が一単位分の料金の支払いを受け付けなかったという第１条件、または前記利用可能期間が満了した後に一単位分の料金に対応する時間より短い第２の許容時間が経過しても前記検出手段が利用者の退出を検出しなかったという第２条件が成立したことに応じて前記音出力手段による前記妨害音の出力を開始し、妨害音の出力開始からの経過時間にその出力に関して成立した条件に係る許容時間を加えた時間が前記一単位分の料金に対応する時間を超えないうちに前記支払い受付手段が一単位分の料金を受け付けるか前記検出手段が利用者の退出を検出したことをもって、前記妨害音の出力を停止する音出力制御手段とを、
具備する携帯電話用のブース。
【請求項５】
壁部により仕切られた空間を有するブースに利用者が入ったことに応じて当該利用者が前記空間を利用することを認めるために実行される方法であって、
前記空間内の利用者を検出するための検出手段と、利用料金の支払いを受け付けるための支払い受付手段とを前記ブースに配備し、
ある額を一単位として一単位分の料金と一定長さの時間とが対応づけられて登録されると共に、前記支払い受付手段および検出手段の動作状態を認識する機能と前記ブース内での音出力またはブース内の照明環境を制御する機能とを備えたコンピュータシステムにおいて、
前記検出手段が前記空間に利用者が入ったことを検出した後に初めて前記支払い受付手段が一単位以上の料金の支払いを受け付けたことに応じて、前記空間に利用者が入ったことが検出されてから支払い額の単位数に応じて変動する所定長さの時間が経過するまでを利用可能期間として設定し、
設定された利用可能期間中または当該期間の満了後に前記支払い受付手段が一単位以上の料金の支払いを再度受け付けたことに応じて、その支払い額の単位数に対応する長さだけ前記利用可能期間を延長し、
前記検出手段が前記空間に利用者が入ったと検出した後に一単位分の料金に対応する時間より短い第１の許容時間が経過しても前記支払い受付手段が一単位以上の料金の支払いを受け付けなかったという第１条件、または利用可能期間が満了した後に一単位分の料金に対応する時間より短い第２の許容時間が経過しても前記検出手段が利用者の退出を検出しなかったという第２条件が成立したことに応じて、妨害音の出力または照明環境を悪化させることによって前記空間内の環境を利用に適した良好環境から利用の妨げとなる悪環境に移行させ、
前記悪環境に移行してからの経過時間にその移行に関して成立した条件に係る許容時間を加えた時間が前記一単位分の料金に対応する時間を超えないうちに前記支払い受付手段が一単位以上の料金の支払いを受け付けるか前記検出手段が利用者の退出を検出したことをもって、前記空間内の悪環境の要因を解除して良好環境を復帰させる、
ことを特徴とする、時間貸しブースの管理方法。
【請求項６】
壁部により仕切られた空間を有するブースに利用者が入ったことに応じて当該利用者が前記空間を利用することを認めるために実行される方法であって、
前記空間内の利用者を検出するための検出手段と、利用料金の支払いを受け付けるための支払い受付手段とを前記ブースに配備し、
ある額を一単位として一単位分の料金と一定長さの時間とが対応づけられて登録されると共に、前記支払い受付手段および検出手段の動作状態を認識する機能と前記ブース内での音出力またはブース内の照明環境を制御する機能とを備えたコンピュータシステムにおいて、
前記検出手段が前記空間に利用者が入ったことを検出したことに応じて、あらかじめ定められた一定長さの時間を利用可能期間の初期値として設定して当該利用可能期間を開始し、その後の利用可能期間中または当該期間の満了後に前記支払い受付手段が前記一単位以上の料金の支払いを受け付けたことに応じて、その支払い額の単位数に対応する長さだけ前記利用可能期間を延長し、
前記支払い受付手段が一単位以上の料金の支払いを受け付けなかったという第１条件および前記検出手段が利用者の退出を検出しなかったという第２条件のいずれも成立しないまま前記利用可能期間と前記一単位分の料金に対応する時間より短い許容時間とが経過したことに応じて、妨害音の出力または照明環境を悪化させることによって前記空間内の環境を利用に適した良好環境から利用の妨げとなる悪環境に移行させ、
前記悪環境への移行後に、その移行からの経過時間に前記許容時間を加えた時間が前記一単位分の料金に対応する時間を超えないうちに前記第１条件または第２条件が成立したことをもって、前記空間内の悪環境の要因を解除して良好環境を復帰させる、
ことを特徴とする、時間貸しブースの管理方法。
【請求項７】
壁部により仕切られた空間を有するブースに利用者が入ったことに応じて当該利用者が前記空間を利用することを認めるために実行される方法であって、
前記空間内の利用者を検出するための検出手段と、利用料金の支払いを受け付けるための支払い受付手段とを前記ブースに配備し、
ある額を一単位として一単位分の料金と一定長さの時間とが対応づけられて登録されると共に、前記支払い受付手段および検出手段の動作状態を認識する機能と前記ブース内での音出力またはブース内の照明環境を制御する機能とを備えたコンピュータシステムにおいて、
前記検出手段が前記空間に利用者が入ったことを検出した後に初めて前記支払い受付手段があらかじめ定められた額の料金の支払いを受け付けたことに応じて、前記空間に利用者が入ったことが検出されてから一単位分の料金に対応する時間より長い所定長さの時間が経過するまでを利用可能期間として設定し、
設定された利用可能期間中または当該期間の満了後に前記支払い受付手段が一単位以上の料金の支払いを再度受け付けたことに応じて、その支払い額の単位数に対応する長さだけ前記利用可能期間を延長し、
前記検出手段が前記空間に利用者が入ったと検出した後に前記一単位分の料金に対応する時間より短い第１の許容時間が経過しても前記支払い受付手段が初めての支払いで受け付けるべき額の料金の支払いを受け付けなかったという第１条件、または利用可能期間が満了した後に一単位分の料金に対応する時間より短い第２の許容時間が経過しても前記検出手段が利用者の退出を検出しなかったという第２条件が成立したことに応じて、妨害音の出力または照明環境を悪化させることによって前記空間内の環境を利用に適した良好環境から利用の妨げとなる悪環境に移行させ、
前記第１の許容時間が経過したことに応じて前記悪環境への移行が生じたときは、その移行からの経過時間に前記第１の許容時間を加えた時間が前記一単位分の料金に対応する時間を超えないうちに前記支払い受付手段が前記初めての支払いで受け付けるべき額の料金の支払いを受け付けるか前記検出手段が利用者の退出を検出したことをもって、前記空間内の悪環境の要因を解除して良好環境を復帰させ、
前記第２の許容時間が経過したことに応じて前記悪環境への移行が生じたときは、その移行からの経過時間に前記第２の許容時間を加えた時間が前記一単位分の料金に対応する時間を超えないうちに前記支払い受付手段が一単位以上の料金の支払いを受け付けるか前記検出手段が利用者の退出を検出したことをもって、前記空間内の悪環境の要因を解除して良好環境を復帰させる、
ことを特徴とする、時間貸しブースの管理方法。
【請求項８】
壁部により仕切られた空間を有するブースに利用者が入ったことに応じて当該利用者が前記空間を利用することを認めるために実行される方法であって、
前記空間内の利用者を検出するための検出手段と、利用料金の支払いを受け付けるための支払い受付手段とを前記ブースに配備し、
ある額を一単位として一単位分の料金と一定長さの時間とが対応づけられて登録されると共に、前記支払い受付手段および検出手段の動作状態を認識する機能と前記ブース内での音出力またはブース内の照明環境を制御する機能とを備えたコンピュータシステムにおいて、
前記検出手段が前記空間に利用者が入ったことを検出した後に初めて前記支払い受付手段が一単位分の料金の支払いを受け付けたことに応じて、前記空間に利用者が入ったことが検出されてから一単位分の料金に対応する時間または当該時間より長い一定長さの時間が経過するまでを利用可能期間として設定し、
設定された利用可能期間中または当該期間の満了後に前記支払い受付手段が一単位分の料金の支払いを再度受け付けたことに応じて一単位分の料金に対応する長さだけ前記利用可能期間を延長し、
前記検出手段が前記空間に利用者が入ったと検出した後に一単位分の料金に対応する時間より短い第１の許容時間が経過しても前記支払い受付手段が一単位分の料金の支払いを受け付けなかったという第１条件、または利用可能期間が満了した後に一単位分の料金に対応する時間より短い第２の許容時間が経過しても前記検出手段が利用者の退出を検出しなかったという第２条件が成立したことに応じて、妨害音の出力または照明環境を悪化させることによって前記空間内の環境を利用に適した良好環境から利用の妨げとなる悪環境に移行させ、前記悪環境に移行してからの経過時間にその移行に関して成立した条件に係る許容時間を加えた時間が前記一単位分の料金に対応する時間を超えないうちに前記支払い受付手段が一単位分の料金の支払いを受け付けるか前記検出手段が利用者の退出を検出したことをもって、前記空間内の悪環境の要因を解除して良好環境を復帰させる、
ことを特徴とする、時間貸しブースの管理方法。
【手続補正２】
【補正対象書類名】明細書
【補正対象項目名】００１２
【補正方法】変更
【補正の内容】
【００１２】
さらに音出力制御手段は、妨害音の出力の開始からの経過時間にその出力に関して成立した条件に係る許容時間を加えた時間が一単位分の料金に対応する時間を超えないうちに支払い受付手段が一単位以上の料金を受け付けるか検出手段が利用者の退出を検出したことをもって、妨害音の出力を停止する。
【手続補正３】
【補正対象書類名】明細書
【補正対象項目名】００１４
【補正方法】変更
【補正の内容】
【００１４】
ブースに入った利用者が支払いを済ませないで利用を開始した場合や、設定された利用可能期間が満了した後も追加料金を支払わずに滞在し続けた場合には、音出力手段により通話の妨げとなる妨害音が出力されて、ブース内での通話が困難な状態になる。妨害音に閉口した利用者が料金を支払うと妨害音の出力は停止し、適正に料金を支払った場合と同等の条件で利用可能期間が延長され、ブース内の空間は通話が可能な状態に戻る。
【手続補正４】
【補正対象書類名】明細書
【補正対象項目名】００１５
【補正方法】変更
【補正の内容】
【００１５】
妨害音の出力後に利用者が料金を支払わずにブースから退出した場合には損失が生じるが、妨害音の出力の条件に係る第１および第２の許容時間を一単位分の料金に対応する時間より十分に短くすることによって、入室後または利用可能期間の満了後に速やかに料金を支払うことが必要になるようにし、料金を支払う気がない者を一単位分の料金に対応する時間以内に退出させて損失を最小限にとどめることができる。また利用者が料金を支払わずに退出すると妨害音が速やかに停止するので、その後のブースの利用に支障が生じることもない。
【手続補正５】
【補正対象書類名】明細書
【補正対象項目名】００１６
【補正方法】変更
【補正の内容】
【００１６】
本発明によるブースは、入室から一定の長さの時間が経過するまで無料で利用できるようにすることができる。無料で利用できる時間が一単位分の料金に対応する長さより小さい場合には、当該時間を第１の許容時間に含めることによって上記の構成の範囲内で対応することができる。また、利用管理手段および音出力制御手段を以下のように設計することによって、無料で利用できる期間の長さを自由に設定することもできる。
【手続補正６】
【補正対象書類名】明細書
【補正対象項目名】００１７
【補正方法】変更
【補正の内容】
【００１７】
利用管理手段は、検出手段が空間に利用者が入ったと検出したことに応じて、あらかじめ定められた一定長さの時間を利用可能期間として設定して当該利用可能期間を開始し、その後の利用可能期間中または当該期間の満了後に支払い受付手段が一単位以上の料金の支払いを受け付けたことに応じて、その支払い額の単位数に対応する長さだけ利用可能期間を延長する。
【手続補正７】
【補正対象書類名】明細書
【補正対象項目名】００１８
【補正方法】変更
【補正の内容】
【００１８】
音出力制御手段は、支払い受付手段が一単位以上の料金の支払いを受け付けたという第１条件および検出手段が利用者の退出を検出したという第２条件のいずれも成立しないまま利用可能期間と一単位分の料金に対応する時間より短い許容時間とが経過したことに応じて、前記音出力手段による妨害音の出力を開始する。そして、妨害音の出力開始からの経過時間に前記許容時間を加えた時間が一単位分の料金に対応する時間を超えないうちに前記第１条件または第２条件が成立したことをもって、前記妨害音の出力を停止する。
【手続補正８】
【補正対象書類名】明細書
【補正対象項目名】００１９
【補正方法】変更
【補正の内容】
【００１９】
上記の構成によれば、利用者は初期値に基づく無料の利用可能期間中に料金を支払うことによって、当該期間の満了後も引き続き支払い額の単位数に対応する長さの時間が経過するまでブースを利用することができる。また料金を支払わなかったために、無料の利用可能期間の満了後に妨害音が出力された場合でも、料金の支払いによって妨害音を停止させ、無料期間中に支払いをした場合と同じ扱いで利用可能期間を延長することができる。
【手続補正９】
【補正対象書類名】明細書
【補正対象項目名】００２０
【補正方法】変更
【補正の内容】
【００２０】
本発明では、入室後の最初の料金を単位数にこだわらない額に設定することもできる。その場合の利用管理手段は、支払い受付手段が上記の料金の支払いを受け付けたことに応じて、前記空間に利用者が入ったことが検出されてから一単位分の料金に対応する時間より長い所定長さの利用可能期間を設定し、設定された利用可能期間中または当該期間の満了後に支払い受付手段が一単位以上の料金の支払いを再度受け付けたとき、その支払い額の単位数に対応する長さだけ利用可能期間を延長するように、設計される。
【手続補正１０】
【補正対象書類名】明細書
【補正対象項目名】００２１
【補正方法】変更
【補正の内容】
【００２１】
上記の設計によるブースの音出力制御手段は、検出手段が前記空間に利用者が入ったと検出した後に一単位分の料金に対応する時間より短い第１の許容時間が経過しても支払い受付手段が初めての支払いで受け付けるべき額の料金の支払いを受け付けなかったという第１条件、または前記利用可能期間が満了した後に一単位分の料金に対応する時間より短い第２の許容時間が経過しても前記検出手段が利用者の退出を検出しなかったという第２条件が成立したことに応じて音出力手段による妨害音の出力を開始する。そして、第１条件の成立に応じて妨害音が出力されたときは、その出力開始からの経過時間に第１の許容時間を加えた時間が一単位分の料金に対応する時間を超えないうちに支払い受付手段が初めての支払いで受け付けるべき額の料金の支払いを受け付けるか前記検出手段が利用者の退出を検出したことをもって、妨害音の出力を停止する。一方、第２条件の成立に応じて妨害音が出力されたときは、その出力開始からの経過時間に第２の許容時間を加えた時間が一単位分の料金に対応する時間を超えないうちに支払い受付手段が一単位以上の料金を受け付けるか前記センサが利用者の退出を検出したことをもって、妨害音の出力を停止する。